(57)【特許請求の範囲】
【請求項１】
料金前払い方式で燃料の供給が可能となる第１の燃料供給機と、
料金後払い方式で燃料の供給が可能となる第２の燃料供給機と、
前記第２の燃料供給機に設けられ、仮伝票を発行する伝票発行機と、
前記第１、第２の燃料供給機から離間した事務所に設置され、前記第１、第２の燃料供給機から送信された燃料供給情報に基づいて供給された燃料に関する情報が記載された伝票を発行する事務所側伝票発行機と、
前記第１の燃料供給機により燃料の供給が行われた場合には当該燃料供給に対応する伝票の前記事務所側伝票発行機からの発行を禁止し、前記第２の燃料供給機により燃料の供給が行われた場合には前記伝票発行機から仮伝票を発行させると共に前記事務所側伝票発行機から伝票を発行させる伝票発行制御手段と、
を備えてなることを特徴とする燃料供給システム。
【請求項２】
料金前払い方式で燃料の供給が可能となる第１の燃料供給機と、
料金後払い方式で燃料の供給が可能となる第２の燃料供給機と、
前記第２の燃料供給機に設けられ、仮伝票を発行する伝票発行機と、
前記第１、第２の燃料供給機から離間した事務所に設置され、前記第１、第２の燃料供給機から送信された燃料供給情報に基づいて供給された燃料に関する情報が記載された伝票を発行する事務所側伝票発行機と、
前記第１、第２の燃料供給機及び前記事務所側伝票発行機に接続され、料金前払い方式で登録された第１の燃料供給機で燃料の供給が行われた場合には、前記事務所側伝票発行機に対して燃料供給情報の送信を禁止し、料金後払い方式で登録された第２の燃料供給機で燃料の供給が行われた場合には、前記伝票発行機から仮伝票を発行させると共に前記事務所側伝票発行機に対して燃料供給情報の送信を行うよう制御する管理コンピュータと、
を備えてなることを特徴とする燃料供給システム。
【請求項３】
前記第１、第２の燃料供給機は、夫々異なる種類の燃料を供給する燃料供給経路に設置されており、供給される燃料の種類に応じて料金前払い方式あるいは料金後払い方式が設定されることを特徴とする請求項１または２記載の燃料供給システム。
【発明の詳細な説明】
【０００１】
【発明の属する技術分野】
本発明は、燃料供給システムに係り、特に料金前払い方式の燃料供給機と料金後払い方式の燃料供給機とが設置された燃料供給システムに関する。
【０００２】
【従来の技術】
例えば、セルフサービス方式の計量機が設置された給油所等では、運転者（顧客）自身が給油作業の設定、給油作業、給油料金の精算を行うようになっている。そのため、運転者は、給油を行う前に給油する油種や給油量等のスイッチを有する設定器により所定の油種、給油量または給油金額を入力する設定操作を行った後、給油料金の精算方法を指定するようになっている。
【０００３】
給油料金の精算方法としては、給油前に計量機または設定器にプリペイドカードまたは現金を投入して給油が可能になる料金前払い方式と、給油終了後に事務所に移動して現金で支払う料金後払い方式とがある。料金前払い方式の場合は、プリペイドカードに記憶されている金額データ分の給油量、あるいは投入された現金の金額に応じた給油量がプリセット給油可能となり、給油終了後に残額をプリペイドカードに書き込むか、つり銭を払い戻すことになる。
【０００４】
また、料金後払い方式の場合は、給油が終了した後、仮伝票（例えば、油種、給油量、計量機番号等が記載された伝票）を発行し、この仮伝票を持って給油所の事務所で料金を精算することになる。
【０００５】
【発明が解決しようとする課題】
ところで、給油所では、料金前払い方式または料金後払い方式の何れかで統一しているが、例えば、車両に燃料を給油するための計量機は料金後払い方式を採用し、灯油等の車両用燃料と異なる燃料を給油するための計量機は料金前払い方式を採用する場合がある。
【０００６】
その場合、各計量機及び設定器は、給油所の事務所に設置された管理コンピュータを介してＰＯＳ端末機に接続されており、給油を行う前に給油許可を管理コンピュータに要求し、給油許可が得られると、ポンプが起動されて給油可能となる。そして、設定器は、給油が終了すると、給油した計量機番号、油種、給油量などの給油情報を管理コンピュータに送信し、管理コンピュータを介してＰＯＳ端末機にも給油情報が送信される。
【０００７】
ＰＯＳ端末機では、設定器から送信された給油情報が受信されると、給油情報を記載した伝票を発行する。そして、給油所の係員は、顧客が仮伝票を持って事務所に来た場合、仮伝票に対応するＰＯＳ端末機のプリンタから発行された伝票を取り出し、伝票の記載内容をみて料金の支払いを要求することになる。
【０００８】
しかしながら、設定器から給油情報がＰＯＳ端末機に送信されると、ＰＯＳ端末機は、受信した給油情報が記載された伝票を自動的に発行するようになっている。そのため、従来の燃料供給システムでは、料金前払い方式及び料金後払い方式の計量機が混在している場合、給油が終了すると、料金の支払い方法に関係なく、ＰＯＳ端末機が伝票を発行するため、給油所の係員が発行された伝票をみて料金が支払い済みか未収かが分からず、混乱するという問題があった。
【０００９】
また、１人の顧客が一の計量機を用いて車両への給油を行っている間に、他の計量機を用いてポリ容器に灯油を給油する場合がある。その場合、給油所の係員は、灯油の計量機からの給油情報が記載された伝票がＰＯＳ端末機から発行されているが、どの顧客が灯油を給油したのかが分からないので、各顧客に対して料金の精算時に灯油の給油を行ったかを確認しなければならない。
そこで、本発明は上記課題を解決した燃料供給システムを提供することを目的とする。
【００１０】
【課題を解決するための手段】
本発明は上記課題を解決するため、以下のような特徴を有する。
【００１１】
上記請求項１記載の発明は、料金前払い方式で燃料の供給が可能となる第１の燃料供給機と、料金後払い方式で燃料の供給が可能となる第２の燃料供給機と、前記第２の燃料供給機に設けられ、仮伝票を発行する伝票発行機と、前記第１、第２の燃料供給機から離間した事務所に設置され、前記第１、第２の燃料供給機から送信された燃料供給情報に基づいて供給された燃料に関する情報が記載された伝票を発行する事務所側伝票発行機と、前記第１の燃料供給機により燃料の供給が行われた場合には当該燃料供給に対応する伝票の前記事務所側伝票発行機からの発行を禁止し、前記第２の燃料供給機により燃料の供給が行われた場合には前記伝票発行機から仮伝票を発行させると共に前記事務所側伝票発行機から伝票を発行させる伝票発行制御手段と、を備えており、事務所側伝票発行機においては料金後払い方式の場合のみ伝票が発行されるので、例えば、給油所の事務所などで料金先払い方式の伝票と料金後払い方式の伝票とが混ざることがなく、事務所側伝票発行機の伝票発行が簡素化されて顧客に迷惑をかけることが防止される。
【００１２】
また、請求項２記載の発明は、料金前払い方式で燃料の供給が可能となる第１の燃料供給機と、料金後払い方式で燃料の供給が可能となる第２の燃料供給機と、前記第２の燃料供給機に設けられ、仮伝票を発行する伝票発行機と、前記第１、第２の燃料供給機から離間した事務所に設置され、前記第１、第２の燃料供給機から送信された燃料供給情報に基づいて供給された燃料に関する情報が記載された伝票を発行する事務所側伝票発行機と、前記第１、第２の燃料供給機及び前記事務所側伝票発行機に接続され、料金前払い方式で登録された第１の燃料供給機で燃料の供給が行われた場合には、前記事務所側伝票発行機に対して燃料供給情報の送信を禁止し、料金後払い方式で登録された第２の燃料供給機で燃料の供給が行われた場合には、前記伝票発行機から仮伝票を発行させると共に前記事務所側伝票発行機に対して燃料供給情報の送信を行うよう制御する管理コンピュータと、を備えており、事務所側伝票発行機においては料金後払い方式で燃料の供給された場合のみ、伝票を発行させることになり、料金前払い方式で燃料の供給が行われた場合の伝票発行が阻止されて混乱することが防止される。
【００１３】
また、請求項３記載の発明は、第１、第２の燃料供給機が、夫々異なる種類の燃料を供給する燃料供給経路に設置されており、供給される燃料の種類に応じて料金前払い方式あるいは料金後払い方式が設定されることにより、同一の顧客が複数種の燃料を供給した場合でも料金前払い方式と料金後払い方式とを使い分けて伝票が混在することが防止される。
【００１４】
【発明の実施の形態】
以下、図面と共に本発明の実施の形態について説明する。
図１は本発明になる燃料供給システムの一実施例の構成を示すブロック図である。
図１に示されるように、燃料供給システムとしての給油システム１０は、大略、給油エリア１１に設置されたセルフサービス給油方式のガソリン・軽油用計量機１２１〜１２ｎ（第１の燃料供給機）と、ガソリン・軽油用計量機１２１〜１２ｎに内蔵されたガソリン・軽油用設定器１３１〜１３ｎと、セルフサービス給油方式の灯油用計量機（第２の燃料供給機）１４と、灯油用設定器１５ａ，１５ｂと、給油エリア１１から離間した場所に設けられた事務所１６内に設置されたＰＯＳ端末機１７、管理コンピュータ１８とからなる。
【００１５】
事務所１６に設置されたＰＯＳ端末機１７及び管理コンピュータ１８は、通信回線（ＳＳ−ＬＡＮ）２０を介してガソリン・軽油用計量機１２１〜１２ｎ、ガソリン・軽油用設定器１３１〜１３ｎ、灯油用計量機１４、灯油用設定器１５ａ，１５ｂと接続されている。
【００１６】
また、ガソリン・軽油用設定器（セルフサービスユニットとも呼ばれている）１３１〜１３ｎは、ガソリンや軽油などの自動車用燃料を給油する際に油種や給油量を設定操作する装置であり、料金後払い方式で給油料金を精算するように構成されている。尚、本実施例のガソリン・軽油用設定器１３１〜１３ｎは、ガソリン・軽油用計量機１２１〜１２ｎの筐体内部に一体的に組み込まれているが、ガソリン・軽油用計量機１２１〜１２ｎと別体に設置することも可能である。
【００１７】
灯油用計量機１４は、両側に給油ノズル（図示せず）が設けられており、各給油ノズルに対応するように灯油用設定器（セルフサービスユニットとも呼ばれている）１５ａ，１５ｂが灯油用計量機１４の両側に設置されている。灯油用設定器１５ａ，１５ｂは、給油する際に給油量の設定や給油料金（プリペイドカードまたは現金）の投入を行う装置であり、料金前払い方式で給油料金を精算するように構成されている。
【００１８】
ＰＯＳ端末機１７は、本体１７ａ、モニタ１７ｂ及びプリンタ（事務所側伝票発行機）１７ｃを有する。プリンタ１７ｃは、料金後払いの給油を行った場合の給油情報が印字された伝票を発行する。
【００１９】
また、管理コンピュータ１８は、ＰＯＳ端末機１７に対しノズルスイッチのオフを示す信号、給油開始信号、給油終了信号などを送信する。ＰＯＳ端末機１７は、ノズルスイッチのオフに対して給油許可信号を送信し、給油終了信号が受信されるとプリンタ１７ｃから料金後払いの顧客に対する精算用の伝票を発行する。
【００２０】
管理コンピュータ１８の記憶部１９には、既に発行されたプリペイドカード７１の金額データを記憶するデータベース１９Ａと、ガソリン・軽油用計量機１２１〜１２ｎによりガソリンまたは軽油の給油が行われた場合には当該燃料供給に対応する伝票をＰＯＳ端末機１７のプリンタ１７ｃから発行させ、灯油用計量機１４により灯油の給油が行われた場合にはプリンタ１７ｃから当該燃料供給に対応する伝票の発行を禁止する制御プログラム（伝票発行制御手段）１９Ｂとが格納されている。
【００２１】
データベース１９Ａには、例えば、発行済みの全プリペイドカード７１の流通カード残高（給油可能金額データ）、各給油ノズルの給油量、給油金額、各油種別の給油量、給油金額、プリペイドカード７１の新規発券枚数、書換え枚数、加金枚数及び金額、現金給油の金額、軽油税、消費税、ポイントなどその日の給油に関する各数値などが記憶されている。
【００２２】
また、給油所の管理コンピュータ１８は、釣り銭機２４と接続されている。釣り銭機２４は、セルフサービス給油を行った顧客が現金で料金を精算した後、釣り銭を必要な場合、レシート（仮伝票）に記載された釣り銭の金額を現金で払い戻すものである。
【００２３】
ここで、上記燃料供給システムを用いた場合の給油手順の概略について説明する。
給油所に到着した車両の運転者（顧客）は、まず給油エリア１１の空いているガソリン・軽油用計量機１２の前に車両を停車させてからガソリン・軽油用設定器１３の設定操作を行う。そして、ガソリン・軽油用設定器１３は、油種が選択されて給油ノズル（図示せず）がノズル掛けから外されると、管理コンピュータ１８へ給油許可要求信号を送信する。
【００２４】
これに対し、給油所の係員は、監視カメラのモニタ（図示せず）で確認して管理コンピュータ１８から当該給油ポイントのガソリン・軽油用計量機１２へ給油許可信号を出力させる。これで、ガソリン・軽油用計量機１２は、給油可能な状態になり、顧客はガソリン・軽油用計量機１２の給油ノズルを車両の給油口（図示せず）に挿入して給油を開始することができる。
【００２５】
給油終了後、給油ノズルをガソリン・軽油用計量機１２のノズル掛けに戻すと、ガソリン・軽油用設定器１３から伝票が発行される。顧客は、この伝票を持って事務所で給油料金の精算を行う。
【００２６】
また、上記のような車両への給油中に顧客が灯油をポリ容器（図示せず）に給油する場合がある。その場合、顧客は、車両に積んできたポリ容器を持って灯油用計量機１４の場所に移動し、灯油用設定器１５ａまたは１５ｂでプリペイドカード７１または現金を投入して設定操作する。灯油用設定器１５ａまたは１５ｂは、灯油用計量機１４の給油ノズル（図示せず）がノズル掛けから外されると、管理コンピュータ１８へ給油許可要求信号を送信する。
【００２７】
これに対し、給油所の係員は、監視カメラのモニタ（図示せず）で確認して管理コンピュータ１８から当該給油ポイントの灯油用計量機１４へ給油許可信号を出力させる。これで、灯油用計量機１４は、給油可能な状態になり、顧客は灯油用計量機１４の給油ノズルをポリ容器の給油口（図示せず）に挿入して給油を開始することができる。
【００２８】
給油終了後、給油ノズルが灯油用計量機１４のノズル掛けに戻されると、灯油用設定器１５ａまたは１５ｂは、プリペイドカード７１に今回の給油料金を差し引いた金額データを書き込んでプリペイドカード７１を排出する。また、顧客が現金を投入している場合には、投入された入金金額から今回の給油料金を差し引いた金額データを記載したレシートを発行し、顧客はこのレシートを持って事務所に行き、ガソリンまたは軽油の給油料金を精算する際に釣り銭機２４からつり銭を受け取る。
【００２９】
また、ガソリン・軽油用計量機１２及び灯油用計量機１４が両方共に料金後払い方式の場合は、仮伝票発行による料金精算が煩雑になって灯油に精算を忘れてしまうことがあり、ガソリン・軽油用計量機１２及び灯油用計量機１４が両方共に料金前払い方式の場合は、給油所側の設備投資が増大して資金的な負担が大きいといった問題がある。
【００３０】
本実施例では、ガソリン・軽油用計量機１２による給油料金が後払い方式であり、灯油用計量機１４による給油料金が前払い方式であるので、給油所の係員は、顧客に対してガソリンまたは軽油の給油料金を精算することに集中することができ、顧客が灯油を給油したかを確認する必要がない。また、灯油用計量機１４のみが前払い方式であるので、給油所側の設備投資も比較的小さくて済むので、資金的な負担も軽減される。
【００３１】
図２はガソリン・軽油用設定器１３の概略構成を示すブロック図である。
図２に示されるように、ガソリン・軽油用設定器１３は、油種入力部２６と、油種設定部２８と、確認スイッチ釦３８と、キャンセルスイッチ３９と、油種表示部４０と、単価表示部４３と、レシート発行部（伝票発行機）４６と、スピーカ４８と、プリセット給油値を入力するテンキー７４と、テンキー７４で入力されたプリセット給油値を表示するプリセット表示部７６と、これらを制御する制御部５４とを有する。
【００３２】
油種入力部２６は、操作者が給油する油種（レギュラーガソリン、ハイオクガソリン、軽油のいずれか）を指定するものであり、油種設定部２８は油種入力部２６により入力された油種を今回給油する油種情報として設定する。尚、灯油用の設定器１４ｎでは、油種設定操作の必要がないので、油種設定部２８及び油種入力部２６が省略されている。
【００３３】
確認スイッチ釦３８は、油種表示部４０に表示された油種を確認されると、押圧操作される。単価表示部４３は、各油種毎の１リットル当りの料金を表示する。また、キャンセルスイッチ釦３９は、入力した設定事項（油種）をキャンセルする際に操作されるスイッチである。
【００３４】
レシート発行部４６は、給油終了後、給油した油種、給油量を印字したレシート（仮伝票）を発行する。スピーカ４８は、操作手順を音声でガイダンスする。
【００３５】
図３は設定器１４に設けられた操作パネルの一例を示す正面図である。
図３に示されるように、設定器１４の操作パネル５６は、▲１▼油の種類を押す、▲２▼確認→選んだ油の種類を確認したらＹＥＳボタンを押し給油して下さい、ＮＯボタンを押すと、キャンセルします。▲３▼レシートを取る、といった操作手順が記載されている。
さらに、「▲１▼油の種類を押す」の欄には、給油する油種を指定するための油種入力部２６として軽油選択スイッチ釦５８、ハイオク選択スイッチ釦６０、レギュラー選択スイッチ釦６２が配置されている。また、軽油選択スイッチ釦５８、ハイオク選択スイッチ釦６０、レギュラー選択スイッチ釦６２は、ランプが内蔵されており、後述するようにオンに操作されると点灯して選択された油種であることを表示する。
【００３６】
「▲２▼確認」の欄には、確認スイッチ釦としてのＹＥＳ釦３８と、キャンセルスイッチ釦としてのＮＯ釦３９とが設けられている。
「▲３▼レシートを取る」の欄には、レシート発行部４６が設けられている。
【００３７】
また、操作パネル５６には、プリセット給油を設定するためのテンキー７４及びプリセット表示部７６が設けられている。尚、満タン給油を行う場合は、テンキー７４を操作せずに給油ノズルをノズル掛けから外すことで自動的に満タン給油が設定される。
【００３８】
図４は灯油用設定器１５ａ，１５ｂの概略構成を示すブロック図である。
図４に示されるように、灯油用設定器１５ａ，１５ｂは、紙幣挿入部３０と、紙幣識別部３２と、カード挿入部３４と、カードリーダ・ライタ３６と、カード発券スイッチ釦３７と、確認スイッチ釦３８と、キャンセルスイッチ３９と、入金金額表示部４２と、単価表示部４３と、レシート発行部４６と、スピーカ４８と、レシート発行釦５０と、釣り銭ランプ５２と、これらを制御する制御部５４とを有する。
【００３９】
紙幣挿入部３０には、給油前に現金１万円札、５千円札、２千円札、千円札のいずれかが挿入される。そして、紙幣識別部３２では、紙幣挿入部３０に挿入された紙幣の鑑定を行って、紙幣の入金金額を検出する。
【００４０】
また、カード挿入部３４は、給油料金をプリペイドカード（プリペイドカード）で清算する場合、プリペイドカードが挿入される。そして、カードリーダ・ライタ３６では、カード挿入部３４に挿入されたプリペイドカードに記録された金額データ（残金データ）または金額に対応する度数データを読み取り、給油終了後に給油金額を差し引いた残金を書き込む。また、カード発券スイッチ３７は、新しいプリペイドカードを購入する際に操作されるスイッチであり、例えば、千円、２千円、５千円、一万円といった入金された紙幣金額に応じた金額データが書き込まれた新しいプリペイドカードを取得するためのものである。
【００４１】
確認スイッチ釦３８は、入金金額表示部４２に表示された入金金額を確認されると、押圧操作される。単価表示部４３は、各油種毎の１リットル当りの料金を表示する。また、キャンセルスイッチ釦３９は、入力した設定事項（入金金額）をキャンセルする際に操作されるスイッチである。
【００４２】
レシート発行部４６は、給油終了後、レシート発行スイッチ釦５０が押圧されると、灯油の給油量、給油金額、入金金額、釣り銭金額を印字したレシートを発行する。スピーカ４８は、入金方法や釣り銭を受け取る場合の手順を音声でガイダンスする。
【００４３】
また、釣り銭ランプ５２は、給油終了後に点灯してお釣りがあることを顧客に報知するものである。
【００４４】
図５は灯油用設定器１５ａ，１５ｂに設けられた操作パネルの一例を示す正面図である。
図５に示されるように、灯油用設定器１５ａ，１５ｂの操作パネル５７は、▲１▼プリカ／紙幣挿入→プリカをお持ちの方→残金の少ない方は紙幣も挿入して下さい→プリカを挿入→▲２▼へ進む。プリカ購入の方→紙幣挿入口→発券ボタンを押す→プリカを取る→プリカを挿入→▲２▼へ進む。現金給油の方→紙幣挿入口→▲２▼へ進む。▲２▼確認→入金金額を確認したらＹＥＳボタンを押し給油して下さい、ＮＯボタンを押すと、紙幣、プリカが返却されます。▲３▼プリカ／レシートを取る→レシートが必要な方はランプ点滅中にレシートボタンを押して下さい、といった操作手順が記載されている。
さらに、「▲１▼プリカ／紙幣挿入」の欄には、紙幣挿入部（紙幣返却も行う）３０と、カード挿入部（発券及びカード返却も行う）３４と、カード発券スイッチ釦３７と、入金金額表示部４２と、単価表示部４３が配置されている。
【００４５】
「▲２▼確認」の欄には、確認スイッチ釦としてのＹＥＳ釦３８と、キャンセルスイッチ釦としてのＮＯ釦３９とが設けられている。
「▲３▼プリカ／レシートを取る」の欄には、レシート発行部４６と、レシート発行スイッチ釦５０とが設けられている。尚、レシート発行スイッチ釦５０は、ランプが内蔵されており、給油後に点滅してレシート発行の有無を知らせる。
【００４６】
図６はプリペイドカードの裏面に記載される給油料金支払いデータの一例を示す図である。
図６に示されるように、プリペイドカード７１は、磁気カードからなり給油金額を上書きできるリライト方式のプリペイドカードである。そして、プリペイドカード７１の裏面には、給油料金を支払うための給油可能金額（残金）データが印字されている。この給油可能金額（残金）データは、３０回まで印字することができる。従って、プリペイドカード７１の裏面に記載された給油可能金額（残金）データにより過去の給油料金の支払い状況を確認することができる。
また、プリペイドカード７１は、表面に金額データが磁気記録される磁性材が被覆された磁気記録部（図示せず）が形成されている。そのため、カードリーダ・ライタ３６は、プリペイドカード７１が挿入されると、磁気記録された残金データ（残金金額）を読み取ることができると共に、給油終了後に給油料金を差し引いた金額を給油料金清算後の残金データとして更新できる。
【００４７】
また、カードリーダ・ライタ３６は、プリペイドカード７１を新規に発券する場合、プリペイドカード７１の裏面にカード挿入方向を示すための挿入指示部（例えば、三角形または矢印等）を印字する。未使用のプリペイドカード７１は、裏面に挿入指示部が印字されていないので、カードリーダ・ライタ３６のカードストッカ（図示せず）に補充する際、プリペイドカード７１の向きを気にせずに補充できるので、予め挿入指示部が印字されたプリペイドカードを使用する場合のように間違えてもカード補充をやり直す必要がなく、カード補充作業を効率良く行うことができる。
【００４８】
図７はガソリン・軽油用計量機１２と、ガソリン・軽油用設定器１３と、灯油用計量機１４と、灯油用設定器１５と、ＰＯＳ端末機１７と、管理コンピュータ１８との間で送受信される信号及び操作手順を示すタイミングチャートである。図７に示されるように、手順１では、ガソリン・軽油用設定器１３において、顧客が給油する油種、数量（給油量）、設定操作を行うと、管理コンピュータ１８にＳＳＵ電文（油種、数量）を送信する。
【００４９】
次に手順２では、ガソリン・軽油用設定器１３において、給油ノズルがノズル掛けから外れると、管理コンピュータ１８にノズル外れ信号を送信する。これにより、管理コンピュータ１８は、ＰＯＳ端末機１７へノズル外れ信号を転送する。
【００５０】
これに対し、ＰＯＳ端末機１７から管理コンピュータ１８へ給油許可信号が送信される。
【００５１】
手順３では、管理コンピュータ１８において、給油所の係員が給油許可の操作を行うと、当該ガソリン・軽油用計量機１２に対して給油許可信号が送信される。
【００５２】
手順４では、給油許可信号を受信したガソリン・軽油用計量機１２で給油操作が行われ、車両への給油が開始される。そして、ガソリン・軽油用計量機１２は、管理コンピュータ１８に給油開始の電文を送信し、管理コンピュータ１８はＰＯＳ端末機１７へ給油開始の電文を送信する。
【００５３】
手順５では、給油ノズルがノズル掛けに戻されると、給油終了の電文を管理コンピュータ１８へ送信し、管理コンピュータ１８はＰＯＳ端末機１７へ給油終了の電文を送信する。
【００５４】
手順６では、管理コンピュータ１８において、給油終了により、今回給油された給油金額を演算し、ガソリン・軽油用設定器１３に対して請求すべき給油金額を送信する。
【００５５】
手順７では、ガソリン・軽油用設定器１３において、給油金額及び計量機番号等が記載されたレシート（仮伝票）を発行する。
【００５６】
手順８では、ＰＯＳ端末機１７において、給油を終了した顧客がレシート（仮伝票）を持って事務所に到着すると、レシート（仮伝票）の読み取り操作を行う。
【００５７】
手順９では、ＰＯＳ端末機１７において、上記給油金額及び計量機番号等が記載された伝票の発行を行って給油料金の精算を行う。
【００５８】
続いて、灯油が給油された場合の手順について説明する。
手順１０では、灯油用設定器１５において、灯油の数量（給油量）設定及び現金またはプリペイドカード７１による入金操作が行われると、管理コンピュータ１８に油種、入金金額の電文が送信される。
【００５９】
手順１１では、灯油用計量機１４において、給油ノズルがノズル掛けから外れると、管理コンピュータ１８にノズル外れ信号を送信する。
【００６０】
手順１２では、管理コンピュータ１８において、給油所の係員が給油許可の操作を行うと、灯油用計量機１４に対して給油許可信号が送信される。
【００６１】
手順１３では、給油許可信号を受信した灯油用計量機１４で給油操作が行われ、ポリ容器への給油が開始される。そして、灯油用計量機１４は、管理コンピュータ１８に給油開始の電文を送信する。
【００６２】
手順１４では、灯油用計量機１４において、給油ノズルがノズル掛けに戻されると、給油終了の電文を管理コンピュータ１８へ送信する。
【００６３】
手順１５では、管理コンピュータ１８において、給油終了により、今回給油された灯油の給油金額を演算し、灯油用設定器１５に対して請求すべき給油金額を送信する。
【００６４】
手順１６では、灯油用設定器１５において、給油金額及び給油量等が記載された伝票を発行する。
【００６５】
このように、料金後払い方式のガソリン・軽油用計量機１２で給油された場合には、ＰＯＳ端末機１７において、伝票発行が行われ、料金前払い方式の灯油用計量機１４で給油された場合には、ＰＯＳ端末機１７において、伝票発行が行われないので、事務所１６での給油料金の精算処理が煩雑にならず、且つ顧客に対して灯油の給油を確認する必要もないので、顧客に不快感を与えることもない。
【００６６】
また、車両への給油を行わず、灯油をポリ容器に給油するだけの顧客の場合でも事務所１６で料金の精算を行う必要がなく、給油所の係員が灯油を給油したことに気付かなくても給油料金を回収できる。
【００６７】
次に、ガソリン・軽油用設定器１３の制御部５４が実行する制御処理について説明する。
図８はガソリン・軽油用設定器１３の制御部５４が実行する制御処理を説明するためのフローチャートである。
図８に示されるように、制御部５４は、ステップＳ１１（以下「ステップ」を省略する）で油種選択のためのスイッチ釦（軽油選択スイッチ釦５８、ハイオク選択スイッチ釦６０、レギュラー選択スイッチ釦６２の何れか：図３参照）がオンに操作されたかどうかをチェックする。
【００６８】
Ｓ１１において、油種選択スイッチ釦がオンに操作されたときは、Ｓ１２に進み、選択された油種が給油すべき油種であることを確認する。すなわち、Ｓ１２において、確定釦としてのＹＥＳ釦３８がオンに操作されないときは、Ｓ１３に進み、キャンセルスイッチ釦としてのＮＯ釦３９がオンに操作されたかどうかをチェックする。Ｓ１３において、ＮＯ釦３９がオンに操作されないときは、Ｓ１２に戻り、再度、選択された油種が給油すべき油種であることを確認する。
【００６９】
また、Ｓ１３において、ＮＯ釦３９がオンに操作されたときは、今回の一連の処理が終了する。
【００７０】
また、Ｓ１２において、確定釦としてのＹＥＳ釦３８がオンに操作されたときは、Ｓ１４に進み、当該ガソリン・軽油用設定器１３に対応するガソリン・軽油用計量機１２のノズルスイッチ（図示せず）がオンであるかどうかをチェックする。Ｓ１４において、給油ノズル（図示せず）がノズル掛けから外されてガソリン・軽油用計量機１２のノズルスイッチ（図示せず）がオンになると、Ｓ１５に進み、車両の燃料タンク（図示せず）への給油量（流量計による流量計測値）に応じた給油金額を演算する。
【００７１】
次のＳ１６では、当該ガソリン・軽油用計量機１２のノズルスイッチ（図示せず）がオフであるかどうかをチェックする。Ｓ１６において、ガソリン・軽油用計量機１２のノズルスイッチ（図示せず）がオンであるときは、給油ノズル（図示せず）がノズル掛けから外されて給油中であると判断し、Ｓ１５に戻る。
【００７２】
Ｓ１６において、給油ノズルがノズル掛けに戻されてガソリン・軽油用計量機１２のノズルスイッチ（図示せず）がオフになったときは、Ｓ１７に進み、レシート発行部４６から給油した計量機番号、油種、給油量、給油金額等を印字したレシート（仮伝票）を発行する。これで今回の一連の処理が終了する。
【００７３】
次に、灯油用設定器１５の制御部５４が実行する制御処理について説明する。図９は灯油用設定器１５の制御部５４が実行する制御処理を説明するためのフローチャートである。図１０は灯油用設定器１５の制御部５４が図９の処理に続いて実行する制御処理を説明するためのフローチャートである。図１１は灯油用設定器１５の制御部５４が図１０及び図１１の処理に続いて実行する制御処理を説明するためのフローチャートである。
図９に示されるように、灯油用設定器１５の制御部５４は、Ｓ２１でプリペイドカード７１がカード挿入部３４に挿入されたかどうかをチェックする。Ｓ２１でプリペイドカード７１がカード挿入部３４に挿入されないときは、Ｓ２２に進み、紙幣が紙幣挿入部３０に挿入されたかどうかをチェックする。
【００７４】
尚、Ｓ２２で紙幣が紙幣挿入部３０に挿入されないときは、再びＳ２１に戻り、待機状態を継続する。また、Ｓ２１でプリペイドカード７１がカード挿入部３４に挿入されたときは、Ｓ２３に進み、プリペイドカード７１の磁気記録部に記録された残金データを読み込む。続いて、Ｓ２４に進み、プリペイドカード７１から読み取った残金データの金額を入金金額表示部４２に表示する。
【００７５】
次のＳ２５では、紙幣挿入部３０に現金が投入されたかどうかをチェックする。Ｓ２５において、現金が投入されたときは、プリペイドカード７１の残金が少ないので、現金を追加するための入金と判断してＳ２６に進み、残金の再計算を行う。すなわち、Ｓ２６では、プリペイドカード７１の残金に現金による入金金額を加金（加算）する。そして、Ｓ２７に進み、プリペイドカード７１の残金に現金による入金金額を加金（加算）した合計金額を残金（給油可能金額）として入金金額表示部４２に表示する。
【００７６】
また、Ｓ２５において、現金の投入がなかったとき、あるいはＳ２７の処理が終了すると、Ｓ２９に進み、カード発券スイッチ釦３７がオンに操作されたかどうかをチェックする。Ｓ２９において、カード発券スイッチ釦３７がオンに操作されたときは、後述するＳ３９に移行して発券処理（Ｓ４９〜Ｓ５２）を実行する（図１１参照）。
【００７７】
また、Ｓ２９において、カード発券スイッチ釦３７がオンに操作されないときは、Ｓ３０に進み、選択された油種が給油すべき油種であることを確認する。すなわち、Ｓ３０において、確定釦としてのＹＥＳ釦３８がオンに操作されると、Ｓ３１に進み、データベース１９Ａに記憶された給油可能金額データＴに投入金額（追加の入金）を加算して、Ｓ３２で給油可能金額データＴを更新してデータベース１９Ａに記憶させる。
【００７８】
また、Ｓ３０において、ＹＥＳ釦３８がオンに操作されないときは、Ｓ３３に進み、キャンセルスイッチ釦としてのＮＯ釦３９がオンに操作されたかどうかをチェックする。Ｓ３３において、ＮＯ釦３９がオンに操作されないときは、Ｓ３０に戻り、再度、選択された油種が給油すべき油種であることを確認する。Ｓ３３において、ＮＯ釦３９がオンに操作されたときは、Ｓ３４に進み、プリペイドカード７１を返却する。これで今回の一連の処理が終了する。
【００７９】
また、Ｓ３２で給油可能金額データＴを更新記憶した後は、図１０のＳ３５に進み、当該灯油用設定器１５に対応する灯油用計量機１４のノズルスイッチ（図示せず）がオンであるかどうかをチェックする。Ｓ３５において、給油ノズル（図示せず）がノズル掛けから外されて計量機１２のノズルスイッチ（図示せず）がオンになると、Ｓ３６に進み、車両の燃料タンク（図示せず）への給油量に応じた給油金額を演算する。
【００８０】
次のＳ３７では、Ｓ３６で演算された給油金額が予めプリセットされた給油量の金額（目標金額）、あるいはプリペイドカード７１に記憶された残金金額（目標金額）、あるいはプリペイドカード７１に記憶された金額に追加の入金を加算した金額（目標金額）に達したかどうかをチェックする。Ｓ３７において、まだ給油金額が目標金額に達していないときは、Ｓ３８に進み、当該計量機１２のノズルスイッチ（図示せず）がオフであるかどうかをチェックする。Ｓ３８において、計量機１２のノズルスイッチ（図示せず）がオンであるときは、給油ノズル（図示せず）がノズル掛けから外されて給油中であると判断し、Ｓ３７に戻る。
【００８１】
Ｓ３７において、給油金額が目標金額に達したとき、あるいは満タン給油が終了して給油ノズルがノズル掛けに戻されて計量機１２のノズルスイッチ（図示せず）がオフになったときは、Ｓ３９に進み、給油料金の支払い方法が現金かどうかをチェックする。Ｓ３９において、給油料金の支払い方法が現金でないときは、プリペイドカード７１による精算であると判断してＳ４０に進み、データベース１９Ａに記憶された給油可能金額データＴから今回の給油量に応じた給油金額を減算する。そして、Ｓ４１に進み、給油可能金額データＴを更新してデータベース１９Ａに記憶させる。
【００８２】
次のＳ４２では、当該プリペイドカード７１の残金データから今回の給油量に応じた給油金額を減算して給油終了後の残金を演算する。続いて、Ｓ４３に進み、Ｓ４２で演算された残金をカードリーダ・ライタ３６によりプリペイドカード７１の磁気記憶部に書き込み残金データを更新する。その後、Ｓ４４でプリペイドカード７１をカード挿入部３４へ排出し、Ｓ４５で給油終了後、レシート発行部４６から給油した油種（灯油）、給油量、給油金額等を印字したレシートを発行する。
【００８３】
また、上記Ｓ３９において、給油料金の支払い方法が現金であるときは、Ｓ４６に進み、紙幣挿入部３０に挿入された紙幣による入金金額から今回の給油量に応じた給油金額を減算して給油終了後のつり銭を演算する。そして、Ｓ４７に進み、レシート発行部４６からつり銭の金額及び給油した油種、給油量、給油金額、入金金額等を印字したレシート（図示せず）を発行する。これで今回の一連の処理が終了する。
【００８４】
尚、上記実施例では、カード７１が磁気記録部を有するものとしたが、これに限らず、他の記憶形式のカード（例えば、ＩＣカードやメモリカード等）を使用できるのは勿論である。
【００８５】
また、上記実施例では、給油所で油液を給油する場合について説明したが、これに限らず、ガソリンや軽油以外の燃料として、例えば、ＣＮＧ，ＬＰＧ，ＬＮＧあるいは燃料電池で使用される水素等を供給する燃料供給システムにも適用できるのは勿論である。
【００８６】
また、上記実施例では、ガソリン・軽油用計量機１２が料金後払い方式であり、灯油用計量機１４が料金前払い方式であるとしたが、これに限らず、ガソリン・軽油用計量機１２を料金前払い方式、灯油用計量機１４を料金後払い方式としても良いのは勿論である。
【００８７】
また、ガソリン・軽油用計量機１２が料金前払い方式または料金後払い方式を顧客が選択できるように構成されていても本発明を適用できるのは勿論である。
【００８８】
【発明の効果】
上述の如く、請求項１の発明によれば、料金前払い方式で燃料の供給が可能となる第１の燃料供給機と、料金後払い方式で燃料の供給が可能となる第２の燃料供給機と、前記第２の燃料供給機に設けられ、仮伝票を発行する伝票発行機と、前記第１、第２の燃料供給機から離間した事務所に設置され、前記第１、第２の燃料供給機から送信された燃料供給情報に基づいて供給された燃料に関する情報が記載された伝票を発行する事務所側伝票発行機と、前記第１の燃料供給機により燃料の供給が行われた場合には当該燃料供給に対応する伝票の前記事務所側伝票発行機からの発行を禁止し、前記第２の燃料供給機により燃料の供給が行われた場合には前記伝票発行機から仮伝票を発行させると共に前記事務所側伝票発行機から伝票を発行させる伝票発行制御手段と、を備えてなるため、事務所側伝票発行機においては料金後払い方式の場合のみ伝票が発行されるので、例えば、給油所の事務所で料金先払い方式の伝票と料金後払い方式の伝票とが混ざることがなく、事務所側伝票発行機の伝票発行が簡素化されて精算処理が煩雑にならず、精算処理が混乱して顧客に迷惑をかけることを防止できる。
【００８９】
また、請求項２記載の発明によれば、料金前払い方式で燃料の供給が可能となる第１の燃料供給機と、料金後払い方式で燃料の供給が可能となる第２の燃料供給機と、前記第２の燃料供給機に設けられ、仮伝票を発行する伝票発行機と、前記第１、第２の燃料供給機から離間した事務所に設置され、前記第１、第２の燃料供給機から送信された燃料供給情報に基づいて供給された燃料に関する情報が記載された伝票を発行する事務所側伝票発行機と、前記第１、第２の燃料供給機及び前記事務所側伝票発行機に接続され、料金前払い方式で登録された第１の燃料供給機で燃料の供給が行われた場合には、前記事務所側伝票発行機に対して燃料供給情報の送信を禁止し、料金後払い方式で登録された第２の燃料供給機で燃料の供給が行われた場合には、前記伝票発行機から仮伝票を発行させると共に前記事務所側伝票発行機に対して燃料供給情報の送信を行うよう制御する管理コンピュータと、を備えてなるため、料金後払い方式で燃料の供給された場合のみ、伝票発行機から伝票が発行されるため、事務所側伝票発行機においては料金前払い方式で燃料の供給が行われた場合の伝票発行が阻止されて精算処理が煩雑にならず、料金前払い方式の伝票と料金後払い方式の伝票が混ざることがなく、事務所での精算の要否で混乱することを防止できる。
【００９０】
また、請求項３記載の発明によれば、第１、第２の燃料供給機が、夫々異なる種類の燃料を供給する燃料供給経路に設置されているため、供給される燃料の種類に応じて料金前払い方式あるいは料金後払い方式が設定されることにより、同一の顧客が複数種の燃料を供給した場合でも料金前払い方式と料金後払い方式とを使い分けて伝票が混在することを防止でき、料金後払い方式の燃料について料金を精算すれば良いので、精算の要否で混乱することを防止できる。
【図面の簡単な説明】
【図１】本発明になる燃料供給システムの一実施例の構成を示すブロック図である。
【図２】ガソリン・軽油用設定器１３の概略構成を示すブロック図である。
【図３】設定器１４に設けられた操作パネルの一例を示す正面図である。
【図４】灯油用設定器１５ａ，１５ｂの概略構成を示すブロック図である。
【図５】灯油用設定器１５ａ，１５ｂに設けられた操作パネルの一例を示す正面図である。
【図６】プリペイドカードの裏面に記載される給油料金支払いデータの一例を示す図である。
【図７】ガソリン・軽油用計量機１２と、ガソリン・軽油用設定器１３と、灯油用計量機１４と、灯油用設定器１５と、ＰＯＳ端末機１７と、管理コンピュータ１８との間で送受信される信号及び操作手順を示すタイミングチャートである。
【図８】ガソリン・軽油用設定器１３の制御部５４が実行する制御処理を説明するためのフローチャートである。
【図９】灯油用設定器１５の制御部５４が実行する制御処理を説明するためのフローチャートである。
【図１０】灯油用設定器１５の制御部５４が図９の処理に続いて実行する制御処理を説明するためのフローチャートである。
【図１１】灯油用設定器１５の制御部５４が図９及び図１０の処理に続いて実行する制御処理を説明するためのフローチャートである。
【符号の説明】
１０  給油システム
１１  給油エリア
１２，１２１〜１２ｎ  ガソリン・軽油用計量機
１３，１３１〜１３ｎ  ガソリン・軽油用設定器
１４  灯油用計量機
１５，１５ａ，１５ｂ  灯油用設定器
１６  事務所
１７  ＰＯＳ端末機
１７ｃ  プリンタ
１８  管理コンピュータ
１９  記憶部
１９Ａ  データベース
１９Ｂ  制御プログラム
２６  油種入力部
２８  油種設定部
３０  紙幣挿入部
３２  紙幣識別部
３４  カード挿入部
３６  カードリーダ・ライタ
３７  カード発券スイッチ
３８  確認スイッチ
３９  キャンセルスイッチ
４０  油種表示部
４２  入金金額表示部
４３  単価表示部
４６  レシート発行部
５０  レシート発行スイッチ
５２  釣り銭ランプ
５６，５７  操作パネル
５８  軽油選択スイッチ
６０  ハイオク選択スイッチ
６２  レギュラー選択スイッチ
７１  プリペイドカード
７４  テンキー
７６  プリセット表示部
【図１】
0003973405.tif 000002
【図２】
0003973405.tif 000003
【図３】
0003973405.tif 000004
【図４】
0003973405.tif 000005
【図５】
0003973405.tif 000006
【図６】
0003973405.tif 000007
【図７】
0003973405.tif 000008
【図８】
0003973405.tif 000009
【図９】
0003973405.tif 000010
【図１０】
0003973405.tif 000011
【図１１】
0003973405.tif 000012